Podtech/llm-jp-corpus-v4-ja_patent huggingface dataset:
(57)【要約】      （修正有）【課題】回転の負荷を軽減する、渦巻コイルを付けた発電装置を提供する。【解決手段】鉄枠６に付く、鉄心の固定子５複数と、固定子５に対向する回転板３と、回転板３に固定された複数の磁石４と、磁石４と固定子５が対向する面に、中心があいた円形状に一列に巻かれている渦巻コイル１、２と、を備え、複数の固定子５は、絶縁された導線を交互に右巻左巻され鉄枠６上で円形状に配列し固定され、磁石４の倍の数を配置し、複数の磁石４は、全て同極で固定子５に対向し、渦巻コイル１、２は、円形状に配列された固定子面の内径側から外径側方向に、絶縁された導線を一列に重ならない様に渦巻にして、固定子複数を円形状に覆う大きさにして接着し固めた渦巻コイル１、２を、磁石４と固定子５が対向する複数の両面に取り付けて、固定子コイル５より起電される電流を、渦巻コイル２、に通して回転の負荷を減す。【選択図】図１
0003216355.tif 000002
【実用新案登録請求の範囲】
【請求項１】
鉄枠に付く、鉄心の固定子複数と、その固定子に対向する回転板と、回転板に固定された複数の磁石と、磁石と固定子が対向する面に、中心があいた円形状に一列に巻かれている渦巻コイルと、を備え
複数の固定子は、絶縁された導線を交互に右巻左巻され鉄枠上で円形状に配列し固定され、磁石の倍の数を配置、複数の磁石は、全て同極で固定子に対向し、渦巻コイルは、円形状に配列された固定子面の内径側から外径側方向に、絶縁された導線を一列に重ならない様に渦巻にして、固定子複数を円形状に覆う大きさにして接着し固めた渦巻コイルを、磁石と固定子が対向する複数の両面に取り付けて、固定子コイルより起電される電流を、渦巻コイル２、に通して回転の負荷を減す、渦巻コイルを付けた発電装置。
【考案の詳細な説明】
【技術分野】
【０００１】考案は、発電に関する
【背景の技術】
【０００２】現在の発電機は、電流が使用されると効率が低下する。
【先行技術文献】
【特許文献】
【０００３】
【特許文献１】実願２０１６−０３７６７
【０００４】
【考案の概要】
【考案を解決しようとする課題】
【０００５】磁石の正面に、絶縁された導線を、つづら折やコイルバネにした物を、磁石の正面や側面に配置して負荷を軽減させる装置があるが、それ以上の負荷を軽減が望まれる。
【０００６】
【課題を解決するための手段】
【０００７】本考案は、鉄枠に付く鉄心の固定子複数と、その固定子に対向する回転板と、回転板に固定された複数の磁石と、磁石と固定子が対向する面に、中心があいた円形状に一列に巻かれている渦巻コイルと、を備え
複数の固定子は、絶縁された導線を交互に右巻左巻され鉄枠上で円形状に配列し固定され、磁石の倍の数を配置、複数の磁石は全て同極で固定子に対向し。
渦巻コイルは、円形状に配置された固定子面の内径から外径方向に、絶縁された導線を一列に重ならない様に渦巻に巻いて、固定子複数を、円形状に覆う大きさにして接着し固めた渦巻コイルを、磁石と固定子が対向する複数の両面に取り付けて、固定子コイルより起電される電流を、渦巻コイル２、に通して回転の負荷を減らす、渦巻コイルを付けた発電装置。
【考案の効果】
【０００８】磁石と固定子の対向する正面に、渦巻コイルを固定し、固定子コイルより起電される電流を、渦巻コイルに通して、回転子磁石を回すと軽くなる、電気を全部使用しても、空回転に近い回転となります、又、何も付けない時の倍の回転となり電流量も変りません。
【図面の簡単な説明】
【０００９】
【図１】発電装置の側面図
【図２】渦巻コイル１、の正面図
【図３】渦巻コイル２、の正面図
【考案を実施するための形態】
【００１０】鉄枠６、に付く鉄心の固定子５、複数と、その固定子５、に対向する回転板３、と  回転板３、に固定された複数の磁石４と、磁石４、と固定子５、が対向する面に、中心があいた円形状に一列に巻かれている渦巻コイルと、を備え、複数の固定子５、は、絶縁された導線を交互に右巻左巻され、鉄枠６、上で円形状に配列し固定され、磁石４、の倍の数を配置、複数の磁石４は、全て同極で固定子５、に対向し、渦巻コイルは、円形状に配列された固定子５、の内径から外径方向に絶縁された導線を、一列に重ならない様に渦に巻き、固定子５、複数を円形状に覆う大きさにして接着し固めた渦巻コイルを、磁石４、と固定子５、が対向する複数の両面に取り付けて、固定子コイルより起電される電流を、渦巻コイル２、に通して回転の負荷を減らす、渦巻コイル２、や１、を付けた発電装置。
【００１１】図１は、固定子５、の面複数に、渦巻コイル２、を固定、対向する磁石４、に渦巻コイル１、を固定、又は、実願２０１６−０３７６７を磁石４、に取り付けても良い。
【００１２】図２は、渦巻コイル１、で、巻いたコイルの両線を接続した物で、電流を通さず取り付けます。
【００１３】図３は、渦巻コイル２、で、巻いたコイルの両線を、固定子コイルより起電する電流を、渦巻コイル２、に接続して電流を通す、又は、外部より入電する。
【００１４】渦巻コイル２、に通す電流は、並列に配線して電流の調節を、できる様にしても良い。
【００１５】回転子磁石に、異極を複数付けて発電させる時も固定子５、や、磁石４、に渦巻コイル２、や１を、取り付けても良い。
【符号の説明】
【００１６】１  渦巻コイル    （巻線を直結）
２  渦巻コイル    （電流を通す）
３  回転板
４  磁石
５  固定子          （鉄心付）
６  鉄枠
７  回転軸
８  配線
【図１】
0003216355.tif 000003
【図２】
0003216355.tif 000004
【図３】
0003216355.tif 000005
(57)【要約】      （修正有） 【課題】搬送ベルトによって染色機本体内を循環する布帛の含水率を高め、かつ布帛に付着した繊維屑、又はその他不純物を洗い落とし、又は染色機本体内の汚れを洗い落とす、洗浄手段を具えるベルトドライブ方式の染色機を提供する。【解決手段】本体内部に搬送ベルト２を設けた染色機であって、染色機の本体内に１つ、又は複数の噴射装置１０、１１を設け、噴射装置の一端がポンプ７の出口に接続し、かつ噴射装置によって搬送ベルト上の染色機本体内を循環する布帛３に高圧の染色液か、又は水を噴射して布帛の含水率を高め、かつ布帛に付着した繊維屑などの不純物、もしくは汚れを洗い落とす。また、噴射装置が、染色機本体内に噴射して染色機本体内に付着した汚れを洗い落とす。【選択図】 図１
0003216312.tif 000002
【実用新案登録請求の範囲】
【請求項１】
本体内部に搬送ベルトを設けた染色機であって、
該染色機の本体内に１つ、又は複数の噴射装置を設け、
該噴射装置の一端がポンプの出口に接続し、かつ該噴射装置によって搬送ベルト上の染色機本体内を循環する布帛に高圧の染色液か、又は水を噴射して該布帛の含水率を高め、かつ該布帛に付着した繊維屑を含む不純物、もしくは汚れを洗い落とすことを特徴とする洗浄手段を具えるベルトドライブ方式の染色機。
【請求項２】
前記噴射装置が、該染色機本体内に噴射して該染色機本体内に付着した汚れを洗い落とすことを特徴とする請求項１に記載の洗浄手段を具えるベルトドライブ方式の染色機。
【考案の詳細な説明】
【技術分野】
【０００１】
この考案は、ベルトドライブ方式で被染色体である布帛を移動させる染色機に関し、特に染色機本体内部に高圧の染色液、もしくは水を噴射する噴射装置を具え、布帛、又は染色機本体内に噴射して洗浄する、洗浄手段を具えるベルトドライブ方式の染色機に関する。
【背景技術】
【０００２】
従来の染色機において、ベルトドライブ方式の染色機は被染色物である布帛が搬送ベルトによって染色機内を循環して染色される場合、染色機本体内に大量の染色液を入れて布帛に染色機本体内で浮力を付与して循環させる方式の染色機に比して、布帛は飽和水のみを吸収し、水を含む量が極めて少ない。このため布帛に対する染色の不均一を招く可能性がある。また、布帛に付着する繊維屑や、その他不純物が染色機本体内を汚染し、染色の品質に影響を与える。
【考案の概要】
【考案が解決しようとする課題】
【０００３】
この考案は、搬送ベルトで布帛を移動させる場合、特に疎水性の布帛などは布帛と水とが分離して布帛の含水率が低くなり、このため布帛の種類によっては擦り傷が発生し、又は染色の均一性と還元して洗浄することに影響を与える恐れがあり、さらに染色機本体内が汚染することで布帛の表面が汚れ、布帛表面の品質に影響を与えるという従来の技術の欠点を改善するものであって、即ち搬送ベルトによって染色機本体内を循環する布帛の含水率を高め、かつ布帛に付着した繊維屑、又はその他不純物を洗い落とし、又は染色機本体内の汚れを洗い落とす、洗浄手段を具えるベルトドライブ方式の染色機を提供することを課題とする。
【課題を解決するための手段】
【０００４】
この考案による洗浄手段を具えるベルトドライブ方式の染色機は、染色機の本体内に１つ、又は複数の噴射装置を設け、該噴射装置の一端がポンプの出口に接続し、かつ該噴射装置によって搬送ベルト上の染色機本体内を循環する布帛に高圧の染色液か、又は水を噴射して該布帛の含水率を高め、かつ該布帛に付着した繊維屑を含む不純物、もしくは汚れを洗い落とす。
【０００５】
また、前記噴射装置が、該染色機本体内に噴射して該染色機本体内に付着した汚れを洗い落とす。
【図面の簡単な説明】
【０００６】
【図１】この考案による染色機の構造を示した説明図である。
【考案を実施するための形態】
【実施例】
【０００７】
図１に、この考案による洗浄手段を具えるベルトドライブ方式の染色機を開示する。図面に開示するように、染色機本体１は上部に被染色物である布帛の通過する染色管９を形成し、かつ染色管９の適宜な位置に布帛先頭端検知手段８を設ける。
【０００８】
染色機本体１の一端は上方に高く突起し、かつノズル５とガイドローラ４を設ける。染色機本体１の底部には貯液槽６を形成する。貯液槽６はメイン配管路１２を介してポンプ７に接続し、ポンプ７は配管路１２、１３を介して噴射装置１０、１１に接続する。ポンプ７によって高圧となった染色液又は水が噴射装置１０、１１から搬送ベルト２によって染色機本体１内を循環する布帛３上に噴射される。よって、布帛３の含水率が高まり、かつ繊維屑、残余の染色助剤を洗い落とすことができる。また、噴射装置１０、１１は、染色機本体１の内部に対して噴射を行ない、染色機本体１の内部に付着した汚れを洗い落とす。
【符号の説明】
【０００９】
１    染色機本体
２    搬送ベルト
３    布帛
４    ガイドローラ
５    ノズル
６    貯液槽
７    ポンプ
８    布帛先頭端部検知手段
９    染色管
１０  噴射装置
１１  噴射装置
１２  メイン配管路
１３  配管路
１４  配管路
【図１】
0003216312.tif 000003
(57)【要約】      （修正有） 【課題】染色機の昇降温の速度を速めて作業効率を高めるとともに、染色機の浴比を増加させない補助熱交換器と、補助熱交換器としての機能を具え、染色機の染色槽を洗浄する水を迅速に昇降温し、染色槽を洗浄する時間を短縮するダイレクト昇降温手段と、を具える超低浴比染色機を提供する。【解決手段】染色機のポンプ７の入口端か、出口端か、もしくは両端の配管路上の適宜な位置に、さらに外部管１０１を設けて熱交換器のハウジングとし、外部管に被覆された配管路９を熱交換の伝熱管として補助熱交換器１０を形成する。また染色機の染色槽１−１の適宜な位置にダイレクト昇降温手段１１を設ける。【選択図】図１
0003216313.tif 000002
【実用新案登録請求の範囲】
【請求項１】
染色機のポンプ入口端か、出口端か、もしくは両端の配管路上の適宜な位置に、さらに外部管を設けて熱交換器のハウジングとし、該外部管に被覆された配管路を熱交換の伝熱管として補助交換器とし、
別途該染色機の染色槽の適宜な位置にダイレクト昇降温手段を設けること、を特徴とする補助熱交換機及びダイレクト昇降案手段を具える超低浴比染色機。
【請求項２】
前記補助熱交換器か、又は該ダイレクト昇降温手段を単独で設けることを特徴とする請求項１に記載の補助熱交換機及びダイレクト昇降案手段を具える超低浴比染色機。
【考案の詳細な説明】
【技術分野】
【０００１】
この考案は、布帛の染色機に関し、特に補助熱交換機及びダイレクト昇降温手段を具える超低浴比染色機に関する。
【背景技術】
【０００２】
従来の超低浴比染色機は、浴比が極めて低く、かつ浴量が比較的少ない。よって、通常は配置される熱交換器も比較的小さく、消費する水量を節約する。但し、急速に昇温、又は降温させる必要がある場合（例えば染色機本体内部の洗浄など）、昇降温が遅くなり、作業効率に影響を与える。
【考案の概要】
【考案が解決しようとする課題】
【０００３】
この考案は、染色機の昇降温の速度を速めて作業効率を高めるとともに、染色機の用水量（浴比）を増加させない補助熱交換器と、及び補助熱交換器としての機能を具え、染色機の染色槽を洗浄する水を迅速に昇降温し、染色槽を洗浄する時間を短縮するダイレクト昇降温手段とを具える超低浴比染色機を提供することを課題とする。
【課題を解決するための手段】
【０００４】
染色機のポンプ入口端か、出口端か、もしくは両端の配管路上の適宜な位置に、さらに外部管を設けて熱交換器のハウジングとし、該外部管に被覆された配管路を熱交換の伝熱管として典型的な熱交換器を形成して補助熱交換器か、又は第２熱交換機とし、また染色機の染色槽の適宜な位置にダイレクト昇降温手段を設け、染色槽を洗浄する場合は迅速に蒸気を注入して染色槽洗浄用の水を直接加熱し、洗浄水を迅速に加熱して洗浄効果を高め、洗浄する時間を短縮し、染色槽を降温させる必要がある場合は、迅速に冷却水を注入し、染色槽を迅速に降温させる。
【図面の簡単な説明】
【０００５】
【図１】この考案による補助熱交換機及びダイレクト昇降温手段を具えた染色機の構造を示した説明図である。
【考案を実施するための形態】
【実施例】
【０００６】
図１に、この考案による超低浴比染色機の補助熱交換機及びダイレクト昇降温御手段を具えた染色機の好ましい実施の形態を開示する。図面に開示するように、染色機本体１は上部に被染色物である布帛の通過する染色管８を形成し、かつ染色管８の適宜な位置に布帛先頭端検知手段５を設ける。
【０００７】
染色機本体１の一端は上方に高く突起し、かつノズル４とガイドローラ３とを設ける。染色機本体１の他端底部には貯液槽６を形成する。貯液槽６は、内部にメイン熱交換器１２を設ける。メイン熱交換器１２は染色液の循環する配管路９上に設けてもよい。
【０００８】
また、貯液槽６は底部が配管路９を介してポンプ７に接続し、ポンプ７の流入口端と流出口端の配管路９には、配管濾９を被覆する外部管１０１をさらに設け、外部管１０１には蒸気流入口１１３と、冷却水流入口１１４と、冷却水流出口１１５とを設ける。
【０００９】
配管路９に設けた外部管１０１は熱交換器のハウジングであって、温度が昇降する速度を増進するが、但し染色機の水の用量（浴比）を増加させない。よって、ポンプ７の配管路９を熱交換機の伝熱管とし、典型的な熱交換器を形成して補助熱交換器１０とする。好ましくは、補助熱交換器１０の蒸気と冷却水とが流出入するバルブは染色機本体１のメイン熱交換器１２と共有する。係る構成によって構造が簡易になり、製造コストを節減することができる。
【００１０】
この考案においては、染色機本体１の染色槽１−１内の適宜な位置にダイレクト昇降温手段１１を設けてもよく、染色槽１−１を洗浄酢する場合、蒸気管１１１から迅速に蒸気を注入し、洗浄用の水をダイレクトに昇温させる。よって、洗浄用の水が迅速に昇温し、洗浄する時間を短縮することができる。染色槽１−１を降温させる必要がある場合は、冷却水管１１２から迅速に冷却水を注入し、染色槽１-１を迅速に降温させる。
【符号の説明】
【００１１】
１        染色機本体
１−１    染色槽
１０      補助熱交換器
１０１    外部管
１１      ダイレクト昇降温手段
１１１    蒸気管
１１２    冷却水管
１１３    蒸気流入口
１１４    冷却水流入口
１１５    冷却水流出口
１２      メイン熱交換器
２        布帛
３        ガイドローラ
４        ノズル
５        布帛先頭端検知手段
６        貯液槽
７        ポンプ
８        染色管
９        配管路
【図１】
0003216313.tif 000003
(57)【要約】      （修正有）【課題】光る事で交通安全、防犯に役立つ光る傘を提供する。【解決手段】傘本体の中棒１におけるハンドル２の上部に、アタッチメント３を介してＬＥＤライト４を取り付け、生地５に光を当てる。また、ＬＥＤライトにキャラクター６を取り付ける。【選択図】図１
0003216368.tif 000002
【実用新案登録請求の範囲】
【請求項１】
傘本体の中棒にアタッチメントと、ＬＥＤライトを取付けた事を特徴とする光る傘。
【考案の詳細な説明】
【技術分野】
【０００１】本考案は、雨天時の夕暮れから夜にかけて、歩行者を、通行車両からより明確に認識させ交通安全、及び防犯を図る事を目的に関するものである。
【背景技術】
【０００２】雨天時の傘と、荷物を持つと、懐中電燈を、持つことが、困難になるために、これを改正したものである。
【先行技術文献】
【特許文献】
【０００３】
【特許文献１】特開平１１−３１８５２４号  広報
【考案の概要】
【考案が解決しようとする課題】
【０００４】本考案は、傘の生地に、直接光が当たり傘全体を照らす事により依り人に確認出来る物とする。
【課題を解決するための手段】
【０００５】傘の生地は，遮光でない生地を使用した傘。
【考案の効果】
【０００６】従来の光る傘は、組み込み式であるが本考案は、取り付け取り外しが出来る物であり、傘が壊れても、新しい傘に取り付けが可能である。
【図面の簡単な説明】
【０００７】
【図１】傘全体の姿図
【図２】ＬＥＤライトの取り付け詳細図
【考案を実施するための形態】
【０００８】本考案は傘本体の１中棒に、２ハンドル上部に３アタッチメントを取り付け４ＬＥＤライトを取り付け５生地に光を当てる、６にキャラクターを取り付ける。
【実施例】
【０００９】以下，添付図面に従って実施例を説明する。１は中棒、２は生地，３はハンドル４は其れに取り付ける為のアタッチメント、５は発光体のＬＥＤライトで構成する．これに子供の好きなキャラクターを、取り付ける様にする。
【符号の説明】
【００１０】１  中棒
２  ハンドル
３  アタッチメント
４  ＬＥＤライト
５  生地
６  キャラクター
【図１】
0003216368.tif 000003
【図２】
0003216368.tif 000004
(57)【要約】      （修正有）【課題】家庭や各種施設において、作業や食事用のテーブルを置くスペースがあれば設置することができるエアホッケーの台を提供する。【解決手段】プラスチックで、縦が１ｍ、横が２ｍ、厚みが１０ｃｍ程度のエアホッケー台を作成し、そのエアホッケー台を家庭や、各種施設に置かれている作業用の台や食事用の台に固定金具９で固定して使用する。【選択図】図１
0003216362.tif 000002
【実用新案登録請求の範囲】
【請求項１】
プラスチックでできた、厚みが１０ｃｍ位のエアホッケーの台を食事や作業用のテーブルに固定して使用することを特徴とするテーブルの上に固定するエアホッケーの台。
【考案の詳細な説明】
【技術分野】
【０００１】  本考案は、食事とか、作業用のテーブルの上に固定する、エアーホッケー台に関するものである。
【背景技術】
【０００２】  従来、家庭や、各種施設において、よく似たゲームである卓球台が置かれていることある。卓球は、ピン球が小さく軽いので、卓球台から外れて外に転んでいった場合、ごみごみした所だと、探しにくい。なので、エアーホッケー台を設置していることもある。
【考案の概要】
【０００３】  家庭や各種施設の、食事をするためのテーブルや作業をするためのテーブルの上にエアーホッケーの台を固定して、エアーホッケーを楽しむ。
【課題を解決するための手段】
【０００４】    本考案は、新にエアーホッケーの台を設置したり、台ごと収納したりすることなく、エアホッケーの台をプラスチックで作った薄い台にして、従来からある食事用のテーブルや、作業台の上に固定して、エアホッケーを楽しむことができる。
【考案の効果】
【０００５】  従来、エアホッケーの台は、大きなテーブルとして設置されており、それなりの広い設置専用スペースが必要とされた。また、エアホッケーの台は、他に転用もできない。
それに対して、エアホッケー台を薄くして、食事用のテーブルに固定するこの、商品は食事用のテーブルを転用でき、専用の設置場所が必要ない。また、薄い台は、収納する時もあまり、場所をとらない。【０００６】  家庭や、介護施設等に設置して、運動に役立てることができる。卓球のように、テーブル外に球が飛び出さないので、拾いに行かなくていいし、飛び出した球を無くすこともない。
【図面の簡単な説明】
【０００７】
【図１】薄い台状のエアホッケー機の図
【図２】食事用のテーブルの上に薄いエアホッケー機を固定した図
【考案を実施するための形態】
【０００８】  縦１ｍ程度、横２ｍ程度、厚み７ｃｍ程のプラスチック板でできた、エアホッケー台であり。前記エアホッケー台を食事用または、作業用のテーブルの天板に固定し、エアホッケーを楽しむことができる。
【実施例】
【０００９】  以下添付図に従って、一実施例を説明する。１は、プラスチックでできたエアホッケーの台であり、２の食事用のテーブルに固定したものである。
【符号の説明】
【００１０】１  プラスチックでできたエアホッケーの台
２  食事用のテーブル
３  エアホッケーのゴール
４  エアホッケーの空気吹き出し口
５  パック
６  マレット
７  ガード
８  電動の採点機
９  固定金具
１０  コード
【図１】
0003216362.tif 000003
【図２】
0003216362.tif 000004
(57)【要約】      （修正有）【課題】園芸用支柱使用の際の危険を予防するための園芸用支柱先端カバ―具を提供する。【解決手段】装着、取り外しが簡単な、伸縮性と弾力性を有する部材から成る園芸用支柱先端カバー具００１１であり、細いあるいは錐形状に尖った硬い園芸用支柱００１２先端に本カバー具を装着することにより、狭い庭等での園芸用支柱の使用時に、園芸用支柱先端における危険性を予防するものである。【選択図】図１
0003216367.tif 000002
【実用新案登録請求の範囲】
【請求項１】
本発明品は、人が園芸用支柱先端に接触時に損傷を負うことのない柔軟性と弾力性を有した部材から成る園芸用支柱先端に装着する園芸用支柱先端カバー具。
【請求項２】
本発明品は、異なる園芸用支柱先端の直径幅に対応可能な伸縮性を有する、請求項１に記載の園芸用支柱先端カバー具。
【考案の詳細な説明】
【技術分野】
【０００１】
本発明品は、園芸用支柱先端に装着する伸縮性と弾力性を有した部材から成る園芸用支柱先端カバー具に関する。
【背景技術】
【０００２】
園芸用支柱の多くは、先端が細いあるいは錐形状に尖った硬い部材から成り、家庭菜園等狭い庭で園芸用支柱を使用する際には、危険性を否めず、転倒の際、園芸用支柱先端が目に刺さり傷を負った事例もある。危険予防の為に園芸用支柱先端に缶ジュース等の空き缶を開き口から挿し入れている光景もよく見られる。従来の園芸用支柱カバ―は硬く細いもので、危険を回避するものとしてつくられているのではないのが現状である。支柱カバーとしては、特許文献１や特許文献２がある。
【先行技術文献】
【特許文献】
【０００３】
【特許文献１】特開２００３−３４２９２７
【特許文献２】実願平９−２３０７
【考案の概要】
【考案が解決しようとする課題】
【０００４】
従来の園芸用支柱カバーは、先端が細いあるいは錐形状に尖った硬い部材から成り、安全性の面での考慮が不足している。特に家庭菜園等、狭い場所での使用は危険性を伴い注意が必要である。園芸用支柱使用の際の危険を予防するための園芸用支柱先端カバ―具を提供することを課題とする。
【課題を解決するための手段】
【０００５】
本発明品は、直径５ミリメール〜直径２０ミリメートル程度の異なる直径幅を持つ園芸用支柱先端に対応可能な伸縮性と、園芸用支柱先端に接触時の損傷予防のための柔軟性と弾力性を有する部材から成り、雨、風等、あるいは人の接触により園芸用支柱先端から外れることのない、園芸用支柱先端上方から挿すだけで装着、取り外しが簡単な園芸用支柱先端カバー具である。
【０００６】
本発明品は、園芸用支柱先端に、人が転倒あるいは接触した際に人が損傷を負うことを予防できる柔軟性と弾力性を有する園芸用支柱先端カバー具である。
【考案の効果】
【０００７】
本発明品は、細いあるいは錐形状に尖った硬い園芸用支柱先端に装着することで、狭い庭等でも安心して園芸用支柱の使用ができ、特に子供のいる家庭では危険防止のために有効である。装着、取り外しが簡単な本発明品は園芸時に関わらず支柱利用時の危険予防に有効である。
【図面の簡単な説明】
【０００８】
【図１】園芸用支柱先端カバー具装着時正面図。
【図２】園芸用支柱先端カバー具底部平面図。
【実施例】
【０００９】
縦横2センチメートル十文字に1箇所切れ目を入れたテニスボールを、土中に挿してある直径５ミリメートルの園芸用支柱先端に前記テニスボールの切れ目から挿しいれた。テニスボールは園芸用支柱先端をしっかり覆い、雨、風等により外れることはなかったが、テニスボールの十文字の切れ目が、約半年後ふやけテニスボールの中身が空洞であるため安定性がなくなり、長期間使用という点において問題があった。前記テニスボールに上方から一時的に手のひらで体重をかけると、園芸用支柱本体の硬さがしっかり手のひらに感じ取れ、中が空洞であるテニスボールでは、厚さが不足していた。
【００１０】
本発明品は、約５ミリメートル〜約２０ミリメートル程度の異なる園芸用支柱の先端の直径幅に対応可能な伸縮性、かつ、弾力性を有し、人の接触時や雨、風等により外れない事が必須要件である。園芸用支柱先端挿し入れ部として本発明品底部に本発明品外部表面まで貫通しない切り込み、あるいは空洞部あるいは切り込みや空洞部無しの園芸用支柱先端に柔軟に挿し入れ、装着、取り外し可能な園芸用支柱先端カバー具である。また、長期間使用可能という観点から、雨、風、太陽等に耐久性のある部材から成ることが好ましい。
【符号の説明】
【００１１】
園芸用支柱先端カバー具
【００１２】
園芸用支柱
【００１３】
地表面
【００１４】
園芸用支柱先端カバー具底部側内部
【００１５】
園芸用支柱先端差し入れ部空洞部
【００１６】
園芸用支柱先端カバー具外部表面
【図１】
0003216367.tif 000003
【図２】
0003216367.tif 000004
(57)【要約】      （修正有）【課題】断熱、遮熱、保温、定温を促進する遮熱断熱結露防止機能付シートを提供する。【解決手段】アルミ蒸着ＰＥＴフィルム３の蒸着面に不織布１を可塑剤にて貼り付け、パンチング穴あけ加工Ａしたシートであって、シートの間に短繊維綿４を積層加工した。【選択図】図１
0003216944.tif 000002
【実用新案登録請求の範囲】
【請求項１】
アルミ蒸着ＰＥＴの蒸着面に不織布を可塑剤にて貼り付けパンチング加工したシートである。
【請求項２】
請求項１記載のシートの間に短繊維綿を積層加工したものである。
【考案の詳細な説明】
【技術分野】
【０００１】住宅壁面床面屋根裏、コンテナハウス、工場、バッグ、サイロカバー等の内面、内容物の温度管理、品質管理に関するものである。
【背景技術】
【０００２】冬季の保温、夏季の遮熱、左記以外の期間での定温を促進するものである。積極的に効果を発するものは存在していなかった。
【先行技術文献】
【特許文献】
【０００３】
【特許文献１】
【特許文献２】
【非特許文献】
【０００４】
【非特許文献１】
【非特許文献２】
【考案の概要】
アルミ蒸着ＰＥＴのアルミ蒸着面に不織布を可塑剤で貼り付けパンチング加工を施し短繊維綿で多層化加工したシート。
【考案が解決しようとする課題】
【０００５】住宅壁面床面屋根裏、コンテナハウス、工場、バッグ、サイロカバー等の内面、内容物の温度管理、品質管理、結露防止、紫外線防止である。
【課題を解決するための手段】
【０００６】考案の概要で加工されたものをシート、袋状、面状等外形に応じた形状に加工したものを貼り付ける。カーテン状に吊り下げてもよい。
【考案の効果】
【０００７】冬季の保温、夏季の遮熱、左記以外の期間での定温を促進するものである。
【図面の簡単な説明】
【０００８】
【図１】平面断面詳細図である。
【考案を実施するための形態】
【０００９】本考案はシート状の形状であるため、外形物に応じた形状で加工し貼り付ける。
【実施例】
【００１０】住宅床面裏に貼り付け、壁面内部に貼り付けて使用、定温低温輸送車、サイロ表面カバー等内容物の管理、品質管理、衣料等応用範囲は多岐である。
【図１】
0003216944.tif 000003
(57)【要約】      （修正有）【課題】【課題】予め用意した前述ビニール紐等を溝に挿入し、固定する事により、女性や老人でも、その場で容易に梱包出来、短時間で、容易な作業が可能となる簡易梱包器を提供する。【解決手段】簡易梱包器本体１は、十字状に形成され、中心部と各先端部に溝２〜４が形成され、前記溝２〜４は、開口部から奥に至るに従って狭くなるように形成され、前記溝２〜４に紐９、１０を挿入して、奥部に挟むように構成している。【選択図】図３
0003216945.tif 000002
【実用新案登録請求の範囲】
【請求項１】
簡易梱包器本体が十字状に形成され、中心部と各先端部に溝が形成され、前記溝は、開口部から奥に至るに従って狭くなるように形成され、前記溝に紐を挿入して、奥部に挟むように構成した簡易梱包器。
【請求項２】
前記溝は、開口部から奥に従って狭くなり、断面がＶ字状及び略Ｕ字状に形成された２種類の溝を並列に構成した、請求項１に記載の簡易梱包器。
【請求項３】
前記溝は、交差する中央に十字状に形成され、前記紐が十字に交差出来るように形成されている請求項１に記載の簡易梱包器。
【考案の詳細な説明】
【技術分野】
【０００１】  本考案は、新聞・本・コピー紙等をまとめて梱包する為に、収納容器内底部に簡易梱包器を入れて、縦横十字の溝にビニール紐等を挿入し奥部に挟み、容易に上部と底部を十字梱包する事が出来る簡易梱包器である。
【背景技術】
【０００２】  家庭、企業、学校において、不要になった場合、収納容器から取出し、他の場所で積上げて、前述ビニール紐等で梱包していた。
【考案の概要】
【考案が解決しようとする課題】
【０００３】  本考案は、梱包器等を設置するには経済的負担も大きく、また、平らな場所も必要になり、さらに他の場所への移動は時間的、場所的、労働的負担である。従って、収納容器内の底部に軽量の簡易梱包器を入れた。
【課題を解決するための手段】
【０００４】  本考案は上記の課題を解決する為に、簡易梱包器本体が十字状に形成され、中心部と各先端部に溝が形成され、前記溝は、開口部から奥に従って狭くなるように形成され、前記溝に紐を挿入して、奥部に挟むように構成している。
【考案の効果】
【０００５】  上述の様に、本考案の簡易梱包器は収納容器内の底部に設置し、収納容器内で必要定量になれば、収納容器から取出さず、女性や老人でも短時間で容易に梱包出来、収納容器のおおよその大きさ、縦、横、高さの寸法が分かれば、予め、ひもを切って保管して置くことが出来、梱包に必要な平らな場所も不要である。
【図面の簡単な説明】
【０００６】
【図１】  本考案による簡易梱包器を示す平面図である。
【図２】  並列の溝を示す断面図である。
【図３】  簡易梱包器に梱包物を収納する準備状態を示す平面図である。
【図４】  簡易梱包機に、梱包物を重ねた梱包直前の状態を示す平面図である。
【考案を実施するための形態】
【０００７】  簡易梱包器を、収納容器内の底部に置き、１本の紐の中心から縦溝に３箇所に挿入し奥部に挟み、さらに、１本の前記紐の中心から横溝に３箇所挿入し奥に挟み、２本の前記紐の先端部が前記収納容器内に入らないように、前記収納容器の外側に出し、梱包物を前記収納容器本体の底部に置いた前記簡易梱包器の上に重ね置きし、収納し、定量になったら前記紐の先端部を容易に十字に縛り、容易に上へ持上げ取出すことが可能である。
【実施例】
【０００８】  以下、添付図面に従って一実施例を説明する。図１は耐久性プラスチック等適宜素材で軽量の十字状の簡易梱包器１が形成され、簡易梱包機本体の中央溝部２と先端溝部３と４にＶ字状の溝と、略Ｕ字状の溝が２つ並列に形成されている。【０００９】  図２は、簡易梱包器本体１に形成されている前記Ｖ字状の溝と、前記略Ｕ字状の溝が並列に、また厚く形成された断面図であり、この前記２つの溝は、開口部から奥に従って狭くなっているため、ビニール紐等を挿入した時に、略細い紐６や、略太い紐５にと選択挿入し奥部に挟む事が出来、容易に対応出来るようになっている。【００１０】  図３は、収納容器７の底部８に前記簡易梱包器本体１を置き、縦に梱包するビニール紐等９の略中心部を、中央溝部２から前記前先端溝部３と前記奥先端溝部３に挿入し奥部に挟み、前記ビニール紐等９の両先端部を前記収納容器７の外側に出し、横に梱包する前記ビニール紐等１０の略中心部を、中央溝部２から左横先端溝部４と右横先端溝部４に挿入し奥部に挟み、前記ビニール紐等１０の両先端部を前記収納容器７の外側に出す事により、前
0003216945.tif 000003
【００１１】  前記梱包物１１の大きさが事前に分かっていれば、横の長さは、略梱包物１１の（横寸法×２倍）＋（高さ寸法×２倍）＋（縛り寸法×２倍）に、また、縦の長さは、略前期梱包物の（縦寸法×２倍）＋（高さ寸法×２倍）＋（縛り寸法×２倍）にと、予め、２本に切る事により、保存が可能で道具も不要である。さらに、定量又は梱包可能になれば、自由に前記横ビニール紐等１０の両先端を持って容易に梱包出来、前記縦ビニール紐等９の両端を持って容易に梱包出来、収納容器７から簡易梱包器本体１に挿入し奥部に挟まれていた、前記ビニール紐等９と１０が容易に外れ、前記収納容器７から容易に取出しが可能である。【００１２】  図４は、前期収納容器が無い場合でも、簡易梱包器１があれば、前記ビニール紐等９と１０の２本を、前記縦溝３、前記横溝４、前記中央部溝に挿入し奥部に挟んだ十字状態で、前記梱包物１１の縦と横と高さ寸法が分かれば、梱包する前記ビニール紐９と１０の長さも事前に用意出来、梱包物１１の大きさに関係なく容易に梱包する事が可能である。
【符号の説明】
【００１３】    １    簡易梱包器本体
２    中央溝部
３    先端部
４    先端部
５    略太い紐
６    略細い紐
７    収納容器
８    底部
９    ビニール紐
１０  ビニール紐
１１  梱包物
【図１】
0003216945.tif 000004
【図２】
0003216945.tif 000005
【図３】
0003216945.tif 000006
【図４】
0003216945.tif 000007
(57)【要約】      （修正有）【課題】バラバラになっている一定量の紙幣を、装飾、デザイン及び文字等を施し付加価値を持たせた、再利用可能な紙幣用輪状装飾帯紐を提供する。【解決手段】紙、柔軟複合材料または金属によって製作された紙幣２を束ねる為の輪状帯紐１であって、それには「神社または寺院に関するデザイン及び文字」、「キャラクターに関するデザイン及び文字」、「無地の装飾」のいずれかが施されており、紙幣２の縦の長さと所定の量の幅を有する。輪状帯紐１に所定の紙幣量を挿入することで紙幣２が固定され、紙幣の管理が簡便となる。また、紙幣の劣化防止に役立つ。【選択図】図１
0003216913.tif 000002
【実用新案登録請求の範囲】
【請求項１】
紙幣を束ねる帯紐に、神社または寺院に関する神仏等の装飾、デザイン及び文字、及び、キャラクター等に関する装飾、デザイン及び文字、または、無地等でデザイン化された装飾を施し、所定の紙幣量ごとに束ねた金額について分かりやすくするところを特徴とする紙幣用輪状装飾帯紐。
【考案の詳細な説明】
【技術分野】
【０００１】  本考案は、バラバラになっている一定量の紙幣を、装飾、デザイン及び文字等を施し付加価値を持たせた、再利用可能な輪状帯紐である。
【背景技術】
【０００２】  １００枚ごとの紙幣は銀行等により帯紐によって束ねられているが、バラバラになっている複数の紙幣は管理しづらいため、慣習として「１万円札×１０＝１０万円」の場合、１万円札を折って残りの９万円を束ねることがある。
【考案の概要】
【考案が解決しようとする課題】
【０００３】  バラバラになっている複数の紙幣を把握するには誤りが無いよう数え直すことが多く、経済活動の観点から非生産的なものである。さらに、財布等に入れられた複数の紙幣は、管理目的の用途により紙幣を折られる上述の慣習は望ましいとはいえない。また、この状態で財布に入れることでかさばることとなる。
従って、所定の紙幣枚数を束ねる輪状帯紐によって管理することで、前述の欠点を解決しようとするものである。
【課題を解決するための手段】
【０００４】本考案は、紙、プラスチック等の柔軟複合材料または金属等によって製作された輪状帯紐により所定の紙幣を纏め、かつ、輪状帯紐の再利用を可能とする。さらに帯紐は装飾、デザイン及び文字を施すことで識別を容易にさせ、問題点を解決している。
【考案の効果】
【０００５】  上述の様に、本考案の紙幣用輪状装飾帯紐は所定の紙幣量に対して帯紐で纏めることで識別が容易となり、かつ、綺麗な状態で紙幣の管理ができることはもちろん、紙幣の劣化防止対策としても役立つ。加えて、輪状帯紐に「神社または寺院に関する神仏等の装飾、デザイン及び文字」、「キャラクター等に関する装飾、デザイン及び文字」、または「無地等でデザイン化された装飾」を施すことで付加価値が見込め、「お守り」、「キャラクターグッツ」等として販売することで経済効果も期待できる。
【図面の簡単な説明】
【０００６】
【図１】本考案の紙幣用輪状装飾帯紐の実施例を示す正面図である。
【図２】紙幣用輪状装飾帯紐の横面図である。
【考案を実施するための形態】
【０００７】  様々な紙幣用輪状装飾帯紐は、紙、プラスチック等の柔軟複合材料または金属等によって製作された柔軟性がある素材で、全体形状は輪状である。輪状帯紐の直径は各紙幣の縦の長さ（例：日本銀行券  ７６ミリ）と、製作された所定量の幅（例：１万円札×１０枚の紙幣の厚さ）である。
【実施例】
【０００８】  以下、添付図面に従って一実例を説明する。１は紙、プラスチック等の柔軟複合材料または金属等によって製作された柔軟性がある素材で紙幣用輪状装飾本体、２は実施例としての「１万円札×１０枚」である。１の紙幣用輪状装飾帯紐に２の紙幣を軽く縦に折り曲げて入れ、紙幣を離すことで紙幣が輪状帯紐によって固定される
【符号の説明】
【０００９】１  紙幣用輪状装飾帯紐
２  １万円札×１０枚の紙幣
【図１】
0003216913.tif 000003
【図２】
0003216913.tif 000004
【手続補正書】
【提出日】平成30年4月13日(2018.4.13)
【手続補正１】
【補正対象書類名】実用新案登録請求の範囲
【補正対象項目名】全文
【補正方法】変更
【補正の内容】
【実用新案登録請求の範囲】
【請求項１】
紙、柔軟複合材料または金属によって製作された紙幣を束ねる為の輪状帯紐であって、それには「神社または寺院に関するデザイン及び文字」、「キャラクターに関するデザイン及び文字」、「無地の装飾」のいずれかが施されており、紙幣の縦の長さと所定の量の幅を有することを特徴とする紙幣用輪状装飾帯紐。
(57)【要約】      （修正有）【課題】釣り糸を絡んだままにならないようにし、無駄な一投が少なくなり、魚を釣る確率を上げていく釣り具を提供する。【解決手段】ルアーフックのＷフックにおいて、返し(バーブ)を外側に配置することにより糸がらみを無くすことを特徴とする。これにより、魚を釣る確率を上げていく。【選択図】図１
0003216911.tif 000002
【実用新案登録請求の範囲】
【請求項１】
釣り具
【考案の詳細な説明】
【技術分野】
【０００１】
釣り具
【先行技術文献】
【非特許文献】
【０００２】
【非特許文献１】株式会社がまかつ2017年カタログ、株式会社モーリス2017年カタログ
【考案の概要】
【考案が解決しようとする課題】
【０００３】
釣り具のルアーにおいて、メタルバイブレーションというルアーがあります。メタルバイブレーションには通常ダブルフック(図1）が装着されています。ルアーの性質上根掛かりを少なくするなどの理由でダブルフックの装着率が高いのです。メタルバイブレーションの使用時の操作方法は、釣り竿を上下に動かす「しゃくる」と呼ばれる操作方法が一般的で、しゃくると時折釣り糸にたるみがでるのでダブルフック内側のかえし（バーブ）に引っ掛かり、エビと呼ばれている（図2）操作不能（正しい動きが出ない）の状態になり、その一投が無駄になります。
【課題を解決するための手段】
【０００４】
ダブルフックのかえしを、内側（インバーブ）ではなく、外側（アウトバーブ）に作ることにより（図３）、釣り糸が引っ掛からなくなる。もちろんバーブレス（かえし無し）でも同じ効果が得られます。
【考案の効果】
【０００５】
メタルバイブレーションに装着されているダブルフックをアウトバーブにし、釣り糸を絡んだままにならないようにし、無駄な一投が少なくなり、魚を釣る確率を上げていきます。
【図面の簡単な説明】
【０００６】
【図１】一般的なメタルバイブレーションのダブルフックの装着例、かえしが内側（インバーブ）にあります。
【図２】ダブルフックをアウトバーブで作成した時のイメージ図
【図３】メタルバイブレーションのよくあるトラブルで、釣り糸がダブルフックのインバーブに引っ掛かり、エビになったといわれる状態。
【産業上の利用可能性】
【０００７】
今までになかった、アウトバーブのダブルフックを作成することにより、新しい市場が生まれる、釣り人の満足感の向上。
【図１】
0003216911.tif 000003
【図２】
0003216911.tif 000004
【図３】
0003216911.tif 000005
【手続補正書】
【提出日】平成30年4月18日(2018.4.18)
【手続補正１】
【補正対象書類名】実用新案登録請求の範囲
【補正対象項目名】全文
【補正方法】変更
【補正の内容】
【実用新案登録請求の範囲】
【請求項１】
ルアーフックのＷフックにおいて、返し(バーブ)を外側に配置することにより
糸がらみを無くすことを特徴とする釣り具
(57)【要約】      （修正有）【課題】ホーセップ収納ホルダーの両側面に、ハサミ・ピンセットの収納ホルダーを設ける事により、リーダーやテペットの絡み解消やフライ形状の変更等を迅速且つ安全の行うマルチホーセップホルダーを提供する。【解決手段】ホーセップ収納ホルダー１の両側面にハサミ・ピンセットの収納ホルダー２・３を設け、ホーセップ１０及びハサミ１１・ピンセット１２を落下防止用ストラップ１３に取り付けて収納する。リーダやテペットの絡みが発生した時や、フライの形状変更が必要になった時に、絡み解消や変更を迅速・安全に行える。【選択図】図１
0003216918.tif 000002
【実用新案登録請求の範囲】
【請求項１】
ホーセップ収納ホルダーの両側面にハサミ・ピンセットの収納ホルダーを設ける事により、
リーダやテペットの絡みトラブル及びフライの形状変更を迅速・容易にしたところを特徴とする
マルチ ホーセップ ホルダー。
【請求項２】
ホーセップ収納ホルダーの角を斜めに緩くアールにする事により、ホーセップの収納や取り出しを容易にした。
【考案の詳細な説明】
【技術分野】
【０００１】
本案件は、ピンセットとハサミのホルダーを設けた、ホーセップホルダーに関するものである。
【背景技術】
【０００２】
魚釣りをしている時に、ライン・リーダ・テペットの組み合わせシステムでキャスティング時に、リーダやテベットが絡まる事がおおにあり、又、フライフイッシングにおいて状況によりフライの形状を変える必要が出てきます。
【考案の概要】
【考案が解決しようとする課題】
【０００３】
実釣でのリーダやテペットの絡みのトラブルは、経験の浅い人ほど多く、通常はピンセットとハサミ等を携帯していない為、
絡みを解決するのに多くの時間や根気が必要で、途中で諦めている人が多く見受けられます。
又、フライフイッシングでのフライの形状は状況により一つのフライの姿を変える事が必要になります。
これらの処理に通常は指先やクリッパー・等を用いて解決を試みますが、スムーズにいかなく且つ時間がかかります。
【課題を解決するための手段】
【０００４】
ホーセップホルダーにピンセットとハサミの収納ホルダーを設ける事により、
常時、ピンセット・ハサミ等を安全に携帯する事を可能にした。
【考案の効果】
【０００５】
ホーセップ・ハサミ・ピンセットの一体化を携帯可能にする事により、
リーダやテペットの絡みトラブルもハリとテペットの結び目をハサミで切り、
絡んでいる処にピンセットを差し込んで引きに抜く等すれば、
トラブル解消の時間が大幅に短縮されます。
又、フライの形状変更もハサミであれば、クリッパーに比べて細かい処の変更が可能なります。
釣り場でのトラブル等の問題解決を安全・迅速且つスムーズに行えます。
【図面の簡単な説明】
【０００６】
【図１】収納ホルダーから、ホーセップ・ハサミ・ピンセットを全てを抜いた状態。
【図２】ホーセップ・ハサミ・ピンセット等、全てのツールを収納ホルダーに収めて、携帯可能な状態です。
【考案を実施するための形態】
【０００７】
各収納ホルダーは革製で出来ていて、ホーセップホルダーの形状を角を斜めカーブにする事により、収納取り出しをスムーズにした。
又、ホーセップホルダーの両脇にハサミ・ピンセットの収納ホルダーを設ける事により、携帯の利便性が良くなった。
【実施例】
【０００８】
以下、添付図面１に従って一実施例を説明する。
ホーセップ１０の収納ホルダー１の両側面にハサミ１１とピンセット１３を収める収納ホルダー２・３を設けてそこに各ツールを収める。
ホーセップ及びハサミはホルダーから抜け落ちて危険な為に、抜け落ち防止の開閉ホック６・７を付けてある。
【０００９】
川や海で使用中に手から落とす事もあり、落下防止用の伸びるストラップ１３を取り付け、
紛失防止と安全性を図った。
【００１０】
釣り用ベストや携帯バックのＤカン等に取り付けら様に、開閉型のナスカン８を付けて利便性を図った。
【符号の説明】
【００１１】
１  ホーセップ収納ホルダー
２  ハサミ収納ホルダー
３  ピンセット収納ホルダー
４  ハサミ抜け防止バンド
５  ハサミ抜け落ちバンドの固定カシメ
６  ハサミ抜け防止バンドの開閉ホック
７  ホーセップ抜け防止ホック
８  携帯用のナスカン
９  携帯用ナスカンバンドの固定カシメ
１０  ホーセップ
１１  ハサミ
１２  ピンセット
１３  ホーセップ・ハサミ・ピンセットの落下防止用のストラップ
１４  落下防止用の伸びるストラップ
【図１】
0003216918.tif 000003
【図２】
0003216918.tif 000004
【手続補正書】
【提出日】平成30年5月2日(2018.5.2)
【手続補正１】
【補正対象書類名】実用新案登録請求の範囲
【補正対象項目名】全文
【補正方法】変更
【補正の内容】
【実用新案登録請求の範囲】
【請求項１】
ホーセップ収納ホルダーの両側面にハサミ・ピンセットの収納ホルダーを設ける事により、リーダやテペットの絡みトラブル及びフライの形状変更を迅速・容易にしたところを特徴とするマルチ  ホーセップ  ホルダー
【請求項２】
ホーセップ収納ホルダーの角を斜めに緩くアールにする事により、ホーセップほ収納や取り出しを容易にしたことを特徴とする、請求事項１に記載のマルチ  ホーセップ  ホルダー
(57)【要約】      （修正有）【課題】釣り糸の結び目がズレることなく、魚が食いついた時の合わせのパワーロスがなくなり、釣果を伸ばす助けになる釣り具を提供する。【解決手段】管付き針の糸を結ぶ部分に、滑り止め加工をする。これにより、結び目を固定し、釣り糸のダメージを防ぎ、魚が食った時の合わせのパワーロスを防ぎ、魚を釣り上げる確率を上げる。【選択図】図１
0003216912.tif 000002
【実用新案登録請求の範囲】
【請求項１】
釣り具
【考案の詳細な説明】
【技術分野】
【０００１】
本発明は魚釣道具に関する。
【先行技術文献】
【非特許文献】
【０００２】
【非特許文献１】株式会社がまかつ2017年カタログ、株式会社モーリス2017年カタログ
【考案の概要】
【考案が解決しようとする課題】
【０００３】
管付き釣り針においての発明です。これ以降は管付き釣り針を”フック”釣り針の管を”アイ”と表記します。
一般的なフックのアイは、図１のように一本の鋼材を曲げて作るので、アイの一番端の部分に隙間ができてしまいます。
結び目がその隙間に入ってしまうと、釣り糸に傷が入ってしまい、強度が落ちてしまう事があります。
更に結び目がズレていると、魚が食いつきあわせを入れたときに、ズレている位置からフック上端に結び目が移動するので、あわせが弱くなり魚を逃す可能性があります。
【課題を解決するための手段】
【０００４】
フックのアイの釣り糸を結ぶ部分に、図２のように、凹ませたり、左右に出っ張りを作ったり、抵抗が出来るようにローレット加工、表面を滑らない加工（ザラザラにやすりのように、ボコボコにして抵抗になるように）を施します。
【考案の効果】
【０００５】
フックのアイの結ぶ場所に、加工を施し結び目を固定することにより、課題である釣り糸の結び目がズレることなく、魚が食いついた時の合わせのパワーロスがなくなり、釣り糸の結び目におけるダメージを受けることもなくなり、釣果を伸ばす助けになります。
【図面の簡単な説明】
【０００６】
【図１】一般的な管付き釣り針の図面です。
【図２】フックアイに釣り糸の結び目を固定する為の方法の加工例。
【図３】今のところ最善と思われる方法で試作した、アイの内側に凹みを付けたフック。
【実施例】
【０００７】
図3の様に、フックアイの先端の内側に凹みを作って試作品を作成しております。
【産業上の利用可能性】
【０００８】
釣り人が今までよりたくさんの魚が釣れるようになります。
【図１】
0003216912.tif 000003
【図２】
0003216912.tif 000004
【図３】
0003216912.tif 000005
【手続補正書】
【提出日】平成30年4月18日(2018.4.18)
【手続補正１】
【補正対象書類名】実用新案登録請求の範囲
【補正対象項目名】全文
【補正方法】変更
【補正の内容】
【実用新案登録請求の範囲】
【請求項１】
管付き針の糸を結ぶ部分に、滑り止め加工をしたことを特徴とする釣り具
(57)【要約】      （修正有）【課題】人の手を借りずとも自らで容易に着脱ができ、装着の際の違和感や、トレーニング中の怪我のリスクも軽減できるボクシンググローブを提供する。【解決手段】これまで紐や先の細く丸いゴムを通して固定していた部分１に、厚みが少なく平たいゴムを用いる。このことによりゴムの伸縮で一人での着脱が可能になる。また、平たいゴムを用いることで、全体の嵩も減る為、装着時の違和感や、スパーリングの様な対人トレーニングの際に嵩張った紐の部分が顔及び身体を掠め、怪我をするというようなリスクの減少に繋がる。【選択図】図１
0003216985.tif 000002
【実用新案登録請求の範囲】
【請求項１】
ボクシンググローブに通す紐を、厚みが少なく表面積の広い平ゴムで代用したボクシンググローブ。
【考案の詳細な説明】
【技術分野】
【０００１】
本考案は装着用の紐を平ゴムで代用したボクシンググローブに関する。
【背景技術】
【０００２】
従来のボクシンググローブは紐が通してあり、その紐を締めることにより装着するようになっている。
【０００３】
また、その紐の部分に先が細く丸いゴムを通して相手に結んだり緩めてもらったりせずに自ら脱着ができることを可能にしたボクシンググローブも存在している。
【考案の概要】
【考案が解決しようとする課題】
【０００４】
従来の紐で装着をする仕様のボクシンググローブは、装着時は紐を固く結び、外す際は固く結んだ紐を解く必要があり一人での付け外しが不可能だった。
【０００５】
また、紐の部分を先が細く丸いゴムで代用したグローブは一人での付け外しは可能になったものの、通したゴムが嵩張り、装着時の不快感を引き起こす恐れがあった。また、ゴムを通す穴に対してゴムが細く、外れやすかったり１カ所に圧力が集中してゴム穴を破損してしまう恐れもあった。
【０００６】
スパーリング等、対人のトレーニングを行った際に出っ張った紐の部分が顔及び身体に当たり怪我をする危険性もあった。
【０００７】
本考案は、以上のような従来の問題に鑑み、不快感を引き起こすことなくゴムを破損するリスクを軽減し、かつ自ら付け外しが可能なボクシンググローブを提供することを目的とする。
【課題を解決するための手段】
【０００８】
本考案にかかるボクシンググローブは装着用の紐の代わりにゴムを代用することを特徴とする。ゴムは先が細く丸いゴムではなく、表面積が広く丸いゴムと比べて厚みの無い平ゴムを用いる。
【考案の効果】
【０００９】
本考案は装着用の紐の代わりにゴム紐を用いるため、ゴムの伸縮作用により付け外しの際に紐を固く結んだりその結んだ紐を解くという作業を省くことができる。
【００１０】
また、細く丸いゴムと比べて厚みの無い平ゴムを用いるため、ゴム紐を通した際に嵩張ることがなく装着部分に接する部位において違和感、不快感が生じる事を防ぐ。
【００１１】
細く丸いゴムと比べて表面積も広い為、1カ所当たりにかかる圧力が小さくなりゴム穴の破損のリスクも軽減する。
【００１２】
立体的な嵩が減ったことで、顔及び身体に紐の部分が当たり怪我をする危険性も減少した。
【００１３】
以上のことから、ボクシンググローブに於いて自ら付け外しができるだけでなく、違和感や破損、怪我のリスクの軽減を実現した。
【図面の簡単な説明】
【００１４】
【図１】装着用の紐を平ゴムで代用したボクシンググローブの全体図である。
【考案を実施するための形態】
【００１５】
ボクシンググローブの紐を通す部分（１）に紐や先の細く丸いゴム紐の代わりに厚みが無く平たいゴムを通す。
【符号の説明】
【００１６】
１  ボクシンググローブの紐を通す部分
【図１】
0003216985.tif 000003